(57)【要約】      （修正有）【課題】完全制御システムを必要としない室内の壁面に設置する水耕栽培による家庭用植物工場において、葉菜類の育成する方法を提供する。【解決手段】消費者が希望した配達希望日と、栽培を希望する葉菜類をデータ化し、データセンターの指示により、播種から発芽、育苗までの栽培を行なう大型の植物工場から２週間後に収穫できる定植のタイミングの苗を希望日に配達する。1週間後には、別の葉菜の苗を発送し、３週目には最初の発育した葉菜を収穫し、空になった水入れプレートに新たな苗を定植する。家庭用エアコン室内機下の壁面にアルミ製の栽培ケースを２段に設置し、家庭用植物工場とする。ケースの前面はクリアで、下部には苗が定植できる引出し式水入れのプレート、上部にはLED素子を接着し、電源コードをエアコンダクトから室外機まで配線し、蓄電池と太陽電池コントローラーの内蔵されたボックスに接続して太陽光パネルから電力を供給する。【選択図】図３
2014010594.tif 000002
【特許請求の範囲】
【請求項１】
家庭用植物工場の導入と同時に消費者が希望した苗の到着日と栽培を希望する葉菜類をデータベース化し、管理するデータセンターから、消費者が希望する苗を播種から発芽、育苗までの栽培を行なっている大型の植物工場に、希望の時期に収穫可能である大きさの苗を希望日に配送することを特徴とする家庭用植物工場の操業方法。
【請求項２】
家庭用植物工場の導入と同時に消費者が希望した苗の到着日と栽培を希望する葉菜類をデータベース化し、管理するデータセンターから、消費者が希望する苗を播種から発芽、育苗までの栽培を行なっている大型の植物工場に出荷指示を送信し、２週間後に収穫可能である大きさの定植のタイミングの苗株を希望日に配送し、２週目には別の葉菜の苗を大型の植物工場から発送し、３週目には１週目に発送した葉菜を収穫し、別の葉菜を配送するサイクルを続けることにより、消費者が毎週葉菜を収穫することができるように、葉菜類の苗を指定された日に大型の植物工場から定期的に発送することを特徴とした請求項１に記載の家庭用植物工場の操業方法。
【請求項３】
家庭用植物工場は、家庭用エアコン室内機下の壁面に設置した、少なくとも前面がクリアなケースと、ケースの上部に配置したLED素子と、LEDに電気を供給するシステムよりなることを特徴とした請求項１または２に記載の家庭用植物工場の操業方法。
【請求項４】
家庭用植物工場は、家庭用エアコン室内機下の壁面に設置した、1段または、２段以上の水耕栽培用の前面がクリアなアルミケースと、ケースの上部に配置したLED素子と、LEDに電気を供給するシステムよりなることを特徴とした請求項１〜３のいずれかに記載の家庭用植物工場の操業方法。
【請求項５】
家庭用植物工場は、アルミケース下部に設置した取り外し可能な苗が定植できる水入れプレートを有することを特徴とした請求項１〜４のいずれかに記載の家庭用植物工場の操業方法。
【請求項６】
家庭用植物工場は、LEDに電気を供給するシステムが、太陽電池充電コントローラーと蓄電池専用のボックスより行うに接続した太陽電池により行うことを特徴とした請求項１〜５のいずれかに記載の家庭用植物工場の操業方法。
【請求項７】
家庭用植物工場は、LEDに電気を供給するシステムが、エアコンダクトから室外機への配線、室外機上部に設置した太陽電池充電コントローラーと蓄電池専用のボックスに接続した太陽電池により行うことを特徴とした請求項１〜７のいずれかに記載の家庭用植物工場の操業方法。
【発明の詳細な説明】
【技術分野】
【０００１】
本発明は、室内の壁面に設置する水耕栽培による家庭用植物工場の操業方法に関するものである。
【背景技術】
【０００２】
現在、植物工場には、完全制御型、太陽光利用型の２種類があり、完全制御型には大型、中型、小型、ミニと４種類あるがいずれも大掛かりなシステムを用いている。家庭用になり得るミニ（日産数株以下）の植物工場も展示用とされているのがほとんであり、実際の家庭用植物工場としては設置方法と場所、家庭用設備にそぐわないデザイン、栽培期間の長さや、コストが高く経済的に見合わない等の問題がある。
【先行技術文献】
【特許文献】
【０００３】
特許第4314316号
【非特許文献】
【０００４】
高辻正基・森康裕著「LED植物工場」日刊工業新聞社  ２０１１年発行
【発明の概要】
【発明が解決しようとする課題】
【０００５】
そこで、無農薬葉菜類（レタス、グリーンリーフ、サンチュ、スイスチャード、サラダローズ等）を自然に優しいエコロジーな水耕栽培により室内で育て、摘み、食することができる消費者が簡単に利用可能な、家庭用植物工場の操業方法が求められている。
【課題を解決するための手段】
【０００６】
第１の発明は、家庭用植物工場の導入と同時に消費者が希望した苗の到着日と栽培を希望する葉菜類をデータベース化し、管理するデータセンターから、消費者が希望する苗を播種から発芽、育苗までの栽培を行なっている大型の植物工場に、希望の時期に収穫可能である大きさの苗を希望日に配送する家庭用植物工場の操業方法である。
【０００７】
第２の発明は、第１の発明において、家庭用植物工場の導入と同時に消費者が希望した苗の到着日と栽培を希望する葉菜類をデータベース化し、管理するデータセンターから、消費者が希望する苗を播種から発芽、育苗までの栽培を行なっている大型の植物工場に出荷指示を送信し、２週間後に収穫可能である大きさの定植のタイミングの苗株を希望日に配送し、２週目には別の葉菜の苗を大型の植物工場から発送し、３週目には１週目に発送した葉菜を収穫し、別の葉菜を配送するサイクルを続けることにより、消費者が毎週葉菜を収穫することができるように、葉菜類の苗を指定された日に大型の植物工場から定期的に発送する家庭用植物工場の操業方法である。
【０００８】
第３の発明は、第１、または、第２の発明において、家庭用植物工場は、家庭用エアコン室内機下の壁面に設置した、少なくとも前面がクリアなケースと、ケースの上部に配置したLED素子と、LEDに電気を供給するシステムよりなる家庭用植物工場の操業方法である。
【０００９】
第４の発明は、第１〜第３のいずれかの発明において、家庭用植物工場は、家庭用エアコン室内機下の壁面に設置した、1段または、２段以上の水耕栽培用の前面がクリアなアルミケースと、ケースの上部に配置したLED素子と、LEDに電気を供給するシステムよりなる家庭用植物工場の操業方法である。
【００１０】
第５の発明は、第１〜第４のいずれかの発明において、家庭用植物工場は、アルミケース下部に設置した取り外し可能な苗が定植できる水入れプレートを有する家庭用植物工場の操業方法である。
【００１１】
第６の発明は、第１〜第５のいずれかの発明において、家庭用植物工場は、LEDに電気を供給するシステムが、太陽電池充電コントローラーと蓄電池専用のボックスより行うに接続した太陽電池により行う家庭用植物工場の操業方法である。
【００１２】
第７の発明は、第１〜第６のいずれかの発明において、家庭用植物工場は、LEDに電気を供給するシステムが、エアコンダクトから室外機への配線、室外機上部に設置した太陽電池充電コントローラーと蓄電池専用のボックスに接続した太陽電池により行う家庭用植物工場の操業方法である。
なお、大型の植物工場とは、消費者に苗を発送する植物工場のことであり、規模を表す言葉ではない。マザー植物工場という性格である。
【発明の効果】
【００１３】
食の安全を考える消費者に対して無農薬野菜を提供し、消費電力を上げることなく家庭用植物工場を維持できる。また、発育を長い期間待つことなく毎週、または収穫後冷蔵保存により毎日葉菜を食することができる。市場で購入するのと違い気候の変動による価格の高騰がないため経済的に安定している。更に、休日の気分転換としてスローライフを可能にする。
【図面の簡単な説明】
【００１４】
【図１】家庭用エアコンの室内機の下、壁面に２段の水耕栽培用アルミケースを設置した説明図である。
【図２】家庭用エアコンの室外機の上、蓄電池と太陽電池コントローラーを設置したボックスの配置と、太陽光パネルの設置を示した説明図である。
【図３】データセンターから大型の植物工場への出荷指示と、消費者である家庭用植物工場への配送までの流れを示した説明図である。
【図４】家庭用植物工場に毎週苗を発送することによる定植と収穫のタイミングを示した説明図である。
【発明を実施するための形態】
【００１５】
本発明では、播種（はしゅ）から発芽、育苗（いくびょう）までの栽培は考慮していない。一般の消費者が、飽きることなく、育て、食することができる水耕栽培にするために、育苗までの栽培は、大型の植物工場で行ない、育苗により、２週間後には収穫可能な大きさの苗（約２cmから３cm程度の苗）を定植のタイミングで家庭に定期的に（たとえば、毎週）配送し、家庭用植物工場で２週間程度栽培し収穫する。家庭において定植後の苗を２週間程度栽培することが目的であり、定植する苗を定期的に発送する。
【００１６】
家庭用植物工場のシステムを購入し、購入後インターネットで（インターネットが利用できない環境の場合には同梱する官製はがきによって）、インターネット上のwebサイトで家庭用植物工場のシステムを購入頂く消費者には、同時に、苗の到着希望日と葉菜類のうち栽培を希望する複数種類を登録頂き、顧客管理リストとしてデータ保存する。全てのデータはデータセンターが集約し、定植する苗の出荷先リストをデータベースとして作成し、出荷する日と出荷する葉菜の種類を大型の植物工場に送信して出荷指示を行なう。また、そのデータをもとに、大型の植物工場では、日産株数を決定し、播種の数量を確定し、生産管理を行なうことが可能になる。
【００１７】
大型の植物工場では、スポンジで播種から発芽、育苗までを行なっているため、スポンジについたままの形状で苗を水漏れのしないケースに梱包して、到着希望日前日に宅配便にて発送する。大型の植物工場は一カ所に限らず、業務の提携により過疎化した地域の再生にも有効であり、更には、育苗までが必要な栽培であることから、農業における土耕栽培の苗を洗浄してスポンジに包み発送することも可能である。データセンターに発送完了の報告をし、データセンターから消費者に発送完了の連絡と必要な注意事項を送信する。
【００１８】
希望した日に要求された定植する苗が消費者の手元に届く。その苗を家庭用植物工場の1段または数段のケースに定植し栽培をはじめる。その後、例えば次週に、別の葉菜の苗が届き、空いているケースに定植する。さらに、例えば、次々週には、１回目に定植して発育した葉菜を収穫し、食するか、または冷蔵庫に保管して別の日に料理する。新たに届いた苗を植え替える前には、水入れプレートを清潔にした後に、その空いた水入れプレートに苗を定植する。この栽培サイクルを繰り返すことによって家庭内では、毎週、又は分割することによって毎日、ビタミン豊富な葉菜類を収穫、食することができ、栽培期間の短い家庭生活に密着した水耕栽培が可能となる。
【００１９】
なお、データセンターにて顧客を管理しているため、インターネット利用者においては、消費者が希望する葉菜を希望する時期に発送することや、発送の時期の変更、例えば、収穫の量が多すぎるため届けるサイクルを遅くすること、長期間不在にする場合に発送を一時停止するなどの要望にこたえることができる。大型の植物工場において、蓄積したデータから生産管理システムが発達すれば、種類の異なった株の葉菜を１セットにしたものも出荷可能になる。また、栽培についてのフォローアップや、家庭用植物工場のメンテナンス依頼、必要な養分となる培養液を発送、葉菜にあうドレッシングのレシピ、料理の仕方などコミュニケーションの場として発展する。
水耕栽培において、播種（はしゅ）は、スポンジに種を植え付ける作業である。脳に障害のある方（近年、増加傾向にある発達障害者児童の将来的雇用の促進）でも、日々変更されることのない決まった作業であれば黙々と効率よく行なえるとの実績があることから、大型の植物工場の回転率が上がることにより播種を分業化して、障害者の雇用を促進する。
【００２０】
家庭用植物工場は、以下の構成とする。家庭用エアコンの室内機の下、デッドスペースに１個の大きさが縦２０〜３０cm×横６０〜１００cm×奥行き１５〜２５cmのケースを１段、または、２段以上設置する。このケースの前面はクリアになっており、室内に緑を提供することができる。ケース内上部には、LED素子を装着する。ケース下部には、株を定植（ていしょく）する事ができる取り外し可能な引出し式水入れプレートを設置し、定植時には水洗いをして清潔を保てるとともに、日々、植木の水やりと同じようにそのプレートに水及び培養液を差して栽培することができる。なお、室内に設置するため、温度調整のために必要な冷暖房が不要になる。
【実施例】
【００２１】
以下本発明の実施例を示す。育苗までの栽培は、大型の植物工場で行ない、育苗により、２週間後には収穫可能な大きさの苗（約２cmから３cm程度の苗）を定植のタイミングで家庭に定期的に毎週配送し、家庭用植物工場で２週間栽培した。
【００２２】
希望した曜日に５株の定植する苗が消費者の手元に届くようにした。この５株を家庭用植物工場の２段のケースのどちらかに定植し栽培をはじめた。翌週には、別の種類の葉菜の苗が届き、空いているケースに定植した。
３週目に苗が届くタイミングに合わせて、１回目に定植して発育した葉菜を収穫し、食し、残りは冷蔵庫に保管して別の日に料理した。
【００２３】
家庭用エアコンの室内機の下、デッドスペースに１個の大きさが縦２５cm×横７０cm×奥行き２０cmのアルミケースを２段に設置して家庭用植物工場とした。軽量のアルミ製で、前面はクリアになっている。設置は、壁面左右上部分にピンを差し込める穴が開いており、７kgまで耐える石膏ボード用差し込みピンで固定した。アルミケース内上部には、赤色１０対青色１の割合で配置したLED素子を装着した。アルミ製のケースを使用することによってLEDから放出される熱を放熱するヒートシンクの役目を果たすことができる。左側、右側いずれからもLED配線がケース外に出せる穴があいている為、室内機の設置壁面にあわせて配線を排出する。アルミケース下部には、５株定植（ていしょく）する事ができる取り外し可能な引出し式水入れプレートを設置した。
【００２４】
LEDを接続した配線は、エアコン設置用のダクトから屋外へ出し、室外機まで延ばす。室外機上部に蓄電池と太陽電池充電コントローラーを内蔵した縦２５cm×横３５cm×奥行き２０cmのボックスを設置し、LEDの端子を太陽電池充電コントローラーに接続した。太陽電池充電コントローラーからは、太陽光パネル縦３８cm×横２８cm×奥行き２cm出力１２Wと蓄電池にそれぞれ配線をする。太陽光パネルはなるべく南向きにし、３０°の方向に固定金具によって設置した。また、蓄電池により、２４時間自然エネルギーを供給し、LEDを発光させて光合成を促進させた。
【産業上の利用可能性】
【００２５】
大型の植物工場での、栽培のサイクルは３０日から４０日であるが、本発明の家庭用植物工場はでは、定植後の日数を１０日から１５日に短縮することができ、回転率が向上するとともに、生産量に対する冷暖房設備維持の電気エネルギー（消費電力）の割合を小さくできる。また、固定の消費者に安定した出荷ができるため、生産管理を容易にし、市場における野菜の廃棄処分を減らすことができる。更には、大型の植物工場内において消費者への苗の発送という作業が発生するため、雇用の創出の可能性が見いだせる。
植物工場は大型化するばかりではなく、１種類のみの葉菜に限定特化した植物工場を維持することができ、種類による分業で生産効率の向上と栽培工程管理の安定化につなげることも可能である。
【符号の説明】
【００２６】
１  エアコン室内機
２  家庭用植物工場アルミケース
３  太陽光パネル（太陽電池）
４  蓄電池、太陽電池コントローラーボックス
５  エアコン室外機
【図１】
2014010594.tif 000003
【図２】
2014010594.tif 000004
【図３】
2014010594.tif 000005
【図４】
2014010594.tif 000006